(57)【特許請求の範囲】
【請求項１】
第１操作システムを実行する主計算モジュールと、
前記主計算モジュールに折りたたみ可能に接続されたディスプレイモジュールと
を含み、
前記ディスプレイモジュールが前記主計算モジュールと接続可能な接続範囲内にある時は、前記第１操作システムの画面を表示し、
前記ディスプレイモジュールが前記接続範囲の外にある時は、前記ディスプレイモジュールが第２操作システムを実行して、前記第２操作システムの画面を表示し、
前記ディスプレイモジュールが前記接続範囲内にある時、前記ディスプレイモジュールが、さらに、入力信号を受信して、前記主計算モジュールに制御コマンドを出力し、対応の操作を実行するよう前記主計算モジュールを制御し、
前記ディスプレイモジュールが前記接続範囲の外から接続範囲内に入った時、前記ディスプレイモジュールが、切換信号を表示して、前記ディスプレイモジュールを前記第１操作システムの実行に切り換えるかどうか、または、前記第２操作システムを実行する状態を継続させるかどうかをユーザーに尋ねる電子デバイス。
【請求項２】
前記ディスプレイモジュールが前記接続範囲内にある時、前記ディスプレイモジュールが、さらに、入力信号を受信して、前記第２操作システム実行モードに切り換わる請求項１に記載の電子デバイス。
【請求項３】
前記主計算モジュールが、さらに、周辺ディスプレイモジュールに接続され、前記周辺ディスプレイモジュールに表示データを伝送して、前記第１操作システムの画面を表示する請求項１に記載の電子デバイス。
【請求項４】
前記主計算モジュールが、
前記第１操作システムを保存する第１記憶装置と、
入力信号を受信して、対応の操作を実行するよう前記主計算モジュールに指示する第１入力装置と
を含む請求項１に記載の電子デバイス。
【請求項５】
前記主計算モジュールが、
前記ディスプレイモジュールに表示データを伝送し、前記ディスプレイモジュールからの制御コマンドを受信する第1通信装置を含み、前記主計算モジュールが、前記制御コマンドに基づいて対応の操作を実行する請求項１に記載の電子デバイス。
【請求項６】
前記主計算モジュールが、
第１接続インターフェースを含み、前記主計算モジュールが、前記第１接続インターフェースを介して前記ディスプレイモジュールを電気接続する請求項１に記載の電子デバイス。
【請求項７】
前記ディスプレイモジュールが、
前記第２操作システムを保存して、最も最近の所定時間内に前記主計算モジュールから受信したデータを一時保存する第２記憶装置と、
入力信号を受信して、対応のアプリケーションプログラムを実行するよう前記ディスプレイモジュールに指示するか、または、対応の制御コマンドを前記主計算モジュールに出力する第２入力装置と
を含む請求項１に記載の電子デバイス。
【請求項８】
前記第２入力装置が、ディスプレイタッチパネルである請求項７に記載の電子デバイス。
【請求項９】
前記ディスプレイモジュールが、
前記主計算モジュールからの表示データを受信する第２通信装置と、
前記表示データに基づいて画面を表示するディスプレイ装置と
を含む請求項１に記載の電子デバイス。
【請求項１０】
前記第２通信装置が、さらに、前記ディスプレイモジュールと前記主計算モジュールの間の接続が正常であるかどうかを検出し、
前記ディスプレイモジュールが、さらに、前記第２通信装置の検出結果に基づいて、前記ディスプレイモジュールが前記接続範囲内にあるかどうかを判断する請求項９に記載の電子デバイス。
【請求項１１】
前記ディスプレイモジュールが、
第２接続インターフェースを含み、前記ディスプレイモジュールが、前記第２接続インターフェースを介して前記主計算モジュールを電気接続する請求項１に記載の電子デバイス。
【請求項１２】
前記ディスプレイモジュールが、
前記第２入力装置、前記第２通信装置、前記第２記憶装置および前記ディスプレイ装置を接続する第２電源ユニットを含む請求項１に記載の電子デバイス。
【発明の詳細な説明】
【技術分野】
【０００１】
本発明は、電子デバイスに関するものであり、特に、ディスプレイモジュールを有する電子デバイスに関するものである。
【背景技術】
【０００２】
現今の情報爆発時代において、電子製品は既に日常生活と非常に密接な関係にあるため、電子技術の絶え間ない発展に伴い、人間化され、機能性に優れた電子製品が常に新しく生み出されている。
【０００３】
パソコンの発展と応用については、まず、デスクトップ型パソコン（desktop PC）が発展したが、デスクトップパソコンは重くてかさばり、携帯に不便である等の欠点を有する。そのため、後に、携帯に便利なノート型パソコン（notebook PC）が発展し、さらに、技術の進歩に伴い、タブレットＰＣ（tablet PC）も発展した。
【０００４】
タブレットＰＣは、使用上さらに便利性を有する。特に、タブレットＰＣは、机や膝の上に乗せ、指やタッチペン（stylus）を使うだけで簡単に操作することができるため、キーボードやマウス等の機器を必要としない。
【発明の概要】
【発明が解決しようとする課題】
【０００５】
しかしながら、タブレットＰＣは、デスクトップ型パソコンに比べて手軽で操作が簡単である等の便利性を有するが、形状が限られることにより、データ計算能力が低いという欠点もある。
【課題を解決するための手段】
【０００６】
本発明は、主計算モジュールと、ディスプレイモジュールとを含む電子デバイスを提供する。主計算モジュールは、第１操作システムを実行する。ディスプレイモジュールは、主計算モジュールに折りたたみ可能に接続され、ディスプレイモジュールが主計算モジュールと接続可能な接続範囲内にある時は、第１操作システムの画面を表示し、ディスプレイモジュールが接続範囲の外にある時は、第２操作システムを実行して、第２操作システムの画面を表示する。
【０００７】
本発明の１つの実施形態中、前記ディスプレイモジュールが接続範囲内にある時、ディスプレイモジュールは、さらに、入力信号を受信して、主計算モジュールに制御コマンドを出力し、対応の操作を実行するよう主計算モジュールを制御する。
【０００８】
本発明の１つの実施形態中、ディスプレイモジュールが接続範囲内にある時、ディスプレイモジュールは、さらに、入力信号を受信して、第２操作システム実行モードに切り換わる。
【０００９】
本発明の１つの実施形態中、上述した主計算モジュールは、さらに、周辺ディスプレイモジュールに接続され、周辺ディスプレイモジュールに表示データを伝送して、第１操作システムの画面を表示する。
【００１０】
本発明の１つの実施形態中、上述した主計算モジュールは、第１記憶装置と、第１入力装置とを含む。第１記憶装置は、第１操作システムを保存する。第１入力装置は、入力信号を受信して、対応の操作を実行するよう主計算モジュールに指示する。
【発明の効果】
【００１１】
以上のように、本発明の電子デバイスは、主要なデータ計算を主計算モジュールで実行し、ディスプレイモジュールで主計算モジュールの計算実行能力を補助するため、ディスプレイモジュールが軽便性を有するとともに、計算能力不足の問題を克服し、さらに、使用上の便利性を大幅に向上させることができる。
【００１２】
本発明の上記および他の目的、特徴、および利点をより分かり易くするため、図面と併せた幾つかの実施形態を以下に説明する。
【図面の簡単な説明】
【００１３】
【図１】本発明の１つの実施形態に係る電子デバイスの概略図である。
【図２】本発明の別の実施形態に係る電子デバイスの概略図である。
【発明を実施するための形態】
【００１４】
図１は、本発明の１つの実施形態に係る電子デバイスの概略図である。図１を参照すると、電子デバイス１００は、主計算モジュール１０２と、ディスプレイモジュール１０４とを含む。主計算モジュール１０２は、例えば、コンピュータ本体であり、ディスプレイモジュール１０４は、例えば、タブレットＰＣまたはスマートフォン等の携帯型電子デバイスである。
【００１５】
主計算モジュール１０２は、例えば、ＬｉｎｕｘやＷｉｎｄｏｗｓ等の第１操作システムを実行するために使用される。ディスプレイモジュール１０４は、主計算モジュール１０２に折りたたみ可能に接続され、ディスプレイモジュール１０４が主計算モジュール１０２に接続されている時、電子デバイス１００は、一般のデスクトップ型パソコンまたはノート型パソコンとみなすことができる。
【００１６】
ディスプレイモジュール１０４が主計算モジュール１０２と分離され、且つ主計算モジュール１０２の接続範囲内にある時、ディスプレイモジュール１０４は、主計算モジュール１０２からの表示データを継続して受信し、そのディスプレイ画面上に第１操作システムの画面を続けて表示する。
【００１７】
ここで、ディスプレイモジュール１０４と主計算モジュール１０２間の接続は、例えば、ブルートゥース（Bluetooth）接続、Ｗｉ−Ｆｉ（Wireless Fidelity）接続、またはＷｉＭＡＸ（Worldwide interoperability for Microwave Access）接続等であってもよい。
【００１８】
一部の実施形態において、ディスプレイモジュール１０４が主計算モジュール１０２と接続可能な接続範囲内にある時、ディスプレイモジュール１０４は、また、ユーザーの入力を受信して、対応の制御コマンドを主計算モジュール１０２に出力し、主計算モジュール１０２に対して遠隔操作を行うこともできる。
【００１９】
ディスプレイモジュール１０４が接続範囲の外にある時、ディスプレイモジュール１０４は、第２操作システムの画面を実行および表示することができる。ここで、第２操作システムは、例えば、Ｓｙｍｂｉａｎ操作システム、Ａｎｄｒｏｉｄ操作システム、またはその他の類似する操作システムである。
【００２０】
また、ディスプレイモジュール１０４が主計算モジュール１０２と接続可能な接続範囲の外にある時、ディスプレイモジュール１０４は、ディスプレイモジュール１０４内に保存されたデータに対してデータ処理を行うことができる。例を挙げて説明すると、ディスプレイモジュール１０４が接続範囲内にある時に、ユーザーが、主計算モジュール１０２を用いて文書を編集し、同時に、この文書をディスプレイモジュール１０４に伝送して一時保存および表示すると仮定する。この文書の編集がまだ完了していない時に、ユーザーによってディスプレイモジュール１０４が接続範囲の外に移動した場合、ディスプレイモジュール１０４が第２操作システムに切り換わった後、ユーザーは、第２操作システムを介してディスプレイモジュール１０４内に保存された文書に基づいて編集を継続して行うことができる。
【００２１】
注意すべきこととして、その他の実施形態において、ディスプレイモジュール１０４が接続範囲内にある時、ディスプレイモジュール１０４は、また、ユーザーの入力に基づいて、第２操作システム実行モードに切り換えることもできる。また、ディスプレイモジュール１０４が接続範囲の外から接続範囲内に入った時、ディスプレイモジュール１０４は、切換信号を表示して、ディスプレイモジュールを第１操作システムの実行に切り換えるかどうか、あるいは、第２操作システムを実行する状態を継続させるかどうかをユーザーに尋ねることができる。
【００２２】
以上のように、上述した実施形態の電子デバイス１００は、ディスプレイモジュール１０４が主計算モジュール１０２と接続可能な接続範囲内にある時に、主計算モジュール１０２で主要なデータ計算を実行し、ディスプレイモジュール１０４が表示機能を担うため、ディスプレイモジュール１０４が軽便性を有するとともに、計算能力不足の問題を克服することができる。また、ディスプレイモジュール１０４が接続範囲の外にある時には、ディスプレイモジュール１０４が第２操作システムに切り換わるため、電子デバイス１００の使用上の便利性を大幅に向上させることができる。
【００２３】
また、注意すべきこととして、主計算モジュール１０２は、ディスプレイモジュール１０４で第１操作システムの画面を表示する他に、別のディスプレイモジュール（図示せず）に同時に接続して第１操作システムの画面を表示することによって、電子デバイス１００の応用性を高めることもできる。例を挙げて説明すると、上述したディスプレイモジュールがプロジェクターであると仮定すると、教育の場合、教師は、ディスプレイモジュール１０４を手で持って主計算モジュール１０２を遠隔操作し、同時に、プロジェクターにより教育内容を映写することができる。
【００２４】
図２は、本発明の別の実施形態に係る電子デバイスの概略図である。詳しく説明すると、電子デバイス１００は、図２の実施形態の方法で実施することができる。本実施形態において、主計算モジュール１０２は、第１処理装置２０２Ａと、第１記憶装置２０４Ａと、第１入力装置２０６Ａと、第１通信装置２０８Ａと、第１接続インターフェース２１０Ａと、第１電源ユニット２１２Ａとを含むことができ、第１処理装置２０２Ａは、第１記憶装置２０４Ａ、第１入力装置２０６Ａおよび第１通信装置２０８Ａに接続され、第１電源ユニット２１２Ａは、第１処理装置２０２Ａ、第１記憶装置２０４Ａ、第１入力装置２０６Ａおよび第１通信装置２０８Ａに接続される（図面を簡潔にするため、接続関係は図示していない）。
【００２５】
第１記憶装置２０４Ａは、第１操作システムを保存するために使用され、第１処理装置２０２Ａは、第１操作システムを実行するために使用される。第１入力装置２０６Ａは、入力信号を受信して、対応の操作を実行するよう第１処理装置２０２Ａに指示する。第１入力装置２０６Ａは、例えば、キーボード、マウスまたはタッチパネルであってもよい。第１通信装置２０８Ａは、表示データをディスプレイモジュール１０４に伝送して、ディスプレイモジュール１０４からの制御コマンドを受信し、第１処理装置２０２Ａが制御コマンドに基づいて対応の操作を実行できるようにするために使用される。第１電源ユニット２１２Ａは、操作に必要な電源を第１処理装置２０２Ａ、第１記憶装置２０４Ａ、第１入力装置２０６Ａおよび第１通信装置２０８Ａに供給するために使用される。
【００２６】
一方、ディスプレイモジュール１０４は、第２処理装置２０２Ｂと、第２記憶装置２０４Ｂと、第２入力装置２０６Ｂと、第２通信装置２０８Ｂと、第２接続インターフェース２１０Ｂと、第２電源ユニット２１２Ｂと、ディスプレイ装置２１４とを含むことができる。第２処理装置２０２Ｂは、第２記憶装置２０４Ｂ、第２入力装置２０６Ｂ、第２通信装置２０８Ｂ、第２電源ユニット２１２Ｂおよびディスプレイ装置２１４に接続され、第２電源ユニット２１２Ｂは、第２処理装置２０２Ｂ、第２記憶装置２０４Ｂ、第２入力装置２０６Ｂ、第２通信装置２０８Ｂ、第２電源ユニット２１２Ｂおよびディスプレイ装置２１４に接続される（図面を簡潔にするため、接続関係は図示していない）。
【００２７】
第２処理装置２０２Ｂは、第２操作システムを実行する他に、表示データに基づいて画面を表示するようディスプレイ装置２１４を制御するために使用される。第２入力装置２０６Ｂは、入力信号を受信して、対応のアプリケーションプログラム（application program）を実行するよう第２処理装置２０２Ｂに指示するか、あるいは、対応の制御コマンドを主計算モジュール１０２に出力するよう制御する。第２入力装置２０６Ｂは、例えば、ディスプレイタッチパネルであってもよい。
【００２８】
第２通信装置２０８Ｂは、さらに、ディスプレイモジュール１０４と主計算モジュール１０２の間の接続が正常であるかどうかを検出する他に、主計算モジュール１０２からの表示データを受信して、表示データに基づいてディスプレイ装置２１４に画面を表示する。第２記憶装置２０４Ｂは、上述した第２操作システムを保存する他に、最も最近の所定時間内に主計算モジュール１０２から受信したデータ（例えば、上述したユーザーが編集した文書）を一時保存する。
【００２９】
第２電源ユニット２１２Ｂは、操作に必要な電源を第２処理装置２０２Ｂ、第２記憶装置２０４Ｂ、第２入力装置２０６Ｂ、第２通信装置２０８Ｂ、第２電源ユニット２１２Ｂおよびディスプレイ装置２１４に供給するために使用される。また、第２接続インターフェース２１０Ｂは、第１接続インターフェース２１０Ａと互いに接続して、ディスプレイモジュール１０４と主計算モジュール１０２を電気接続する他に、ディスプレイモジュール１０４と主計算モジュール１０２がさらに第１接続インターフェース２１０Ａと第２接続インターフェース２１０Ｂを介してデータ伝送するために使用される。第１接続インターフェース２１０Ａと第２接続インターフェース２１０Ｂ間は、例えば、噛み合わせることによって結合することができるが、本発明はこれに限定されない。
【００３０】
第２処理装置２０２Ｂは、第２通信装置２０８Ｂに基づいて、ディスプレイモジュール１０４と主計算モジュール１０２間の接続状態の結果を検出し、ディスプレイモジュール１０４が主計算モジュール１０２に接続可能な接続範囲内にあるかどうかを判断することができる。
【００３１】
上記のように、ディスプレイモジュール１０４が接続範囲内にある時、第２処理装置２０２Ｂは、第２通信装置２０８Ｂが受信した表示データに基づいて、第１操作システムの画面を表示するようディスプレイ装置２１４を制御することができ、また、ユーザーの入力に基づいて制御コマンドを第１通信装置２０８Ａに伝送するよう第２通信装置２０８Ｂを制御し、制御コマンドに基づいて第１処理装置２０２Ａに対応の操作を実行させることもできる。また、第２処理装置２０２Ｂは、さらに、ユーザーの入力に基づいて、ディスプレイモジュール１０４を第２操作システム実行モードに切り換えることもできる。
【００３２】
ディスプレイモジュール１０４が接続範囲の外にある時、第２処理装置２０２Ｂは、第２操作システムを実行することができ、例えば、第２記憶装置２０４Ｂに一時保存された最も最近の所定時間内に主計算モジュールから受信したデータに対してデータ処理を行うことができる。また、ディスプレイモジュール１０４が接続範囲の外から接続範囲内に入った時、第２処理装置２０２Ｂは、切換データを表示するようディスプレイ装置２１４を制御して、ディスプレイモジュール１０４を第１操作システムの実行に切り換えるのか、それとも、第２操作システムを実行する状態を継続させるのかをユーザーに尋ねることができる。
【００３３】
以上のように、本願は、ディスプレイモジュールが主計算モジュールと接続可能な接続範囲内にある時、主計算モジュールで主要なデータ計算を実行し、ディスプレイモジュールが表示機能を担うことによって、ディスプレイモジュール１０４が軽便性を有すると同時に、計算能力不足の問題を克服できるようにすることができる。
【００３４】
また、ディスプレイモジュールが接続範囲の外にある時、ディスプレイモジュールが第２操作システムの実行に切り換わるため、電子デバイスの使用上の便利性を大幅に向上させることができる。この他、主計算モジュールは、別のディスプレイモジュールにも同時に接続して、画面の表示を同時進行することができるため、電子デバイスの応用性をさらに向上させることができる。
【００３５】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００３６】
１００    電子デバイス
１０２    主計算モジュール
１０４    ディスプレイモジュール
２０２Ａ    第１処理装置
２０４Ａ    第１記憶装置
２０６Ａ    第１入力装置
２０８Ａ    第１通信装置
２１０Ａ    第１接続インターフェース
２１２Ａ    第１電源ユニット
２０２Ｂ    第２処理装置
２０４Ｂ    第２記憶装置
２０６Ｂ    第２入力装置
２０８Ｂ    第２通信装置
２１０Ｂ    第２接続インターフェース
２１２Ｂ    第２電源ユニット
２１４    ディスプレイ装置
【図１】
0005738911.tif 000002
【図２】
0005738911.tif 000003